(57)【要約】【課題】衣服の袖にフィットするよう弾性変形し、棒状部で痕を付けることなく緊張でき、軽量化できるだけではなく、上腕部に対応する位置の裏地が無理に張られることを防止し、この位置の裏地の弛みが袖の仕上がりに悪影響を与えることがないようにする。【解決手段】本発明は、略Ｖ字形の鋏状に形成し、衣服１の袖１ａに挿し込んで左右一対の棒状部２のバネ性及び柔軟性と、この棒状部２の繋がり箇所である支点部３のバネ性を利用して衣服１の袖１ａを外側に張るのに使用する。少なくとも一方の棒状部２の支点部３寄りの位置を、内方に曲げて凹み箇所１１に形成する。【選択図】      図１
2019094586.tif 000002
【特許請求の範囲】
【請求項１】
略Ｖ字形の鋏状に形成され、衣服の袖に挿し込まれて左右一対の棒状部のバネ性及び柔軟性と、この棒状部の繋がり箇所である支点部のバネ性を利用して衣服の袖を外側に張るのに使用する衣服の袖仕上げ用補助具であって、少なくとも一方の棒状部の支点部寄りの位置が内方に曲げられて凹み箇所に形成されていることを特徴とする衣服の袖仕上げ用補助具。
【請求項２】
請求項１記載の衣服の袖仕上げ用補助具であって、左右一対の棒状部の開放端の側に、衣服の袖に供給される熱流体が袖口から流出するのを防止するストッパー部を備えて形成されていることを特徴とする衣服の袖仕上げ用補助具。
【請求項３】
請求項２記載の衣服の袖仕上げ用補助具であって、ストッパー部が袋状に形成され、支点部の側に口が向けられていることを特徴とする衣服の袖仕上げ用補助具。
【請求項４】
請求項２又は３記載の衣服の袖仕上げ用補助具であって、ストッパー部が、棒状部に着脱自在に設けられていることを特徴とする衣服の袖仕上げ用補助具。
【発明の詳細な説明】
【技術分野】
【０００１】
本発明は、衣服の袖仕上げ用補助具に関し、更に詳しくは衣服の袖を、人体型に衣服を着せた状態で仕上げるのに使用する補助具に関するものである。
【背景技術】
【０００２】
従来、この種の補助具としては、例えば特許文献１、同２に記載されているものがある。
特許文献１に記載の従来品は、一対の木製形材を板バネ材で連結し、この板バネ材のバネ力で一対の木製形材を外側に張り出して衣服の袖を緊張可能に形成しているものである。
【０００３】
しかし、この従来品は、硬質性の木製形材で衣服の袖を張る構造のため、形材の外形状が袖のカーブに合わない場合でも緊張してしまうものであった。
従って、この従来品によると、形材によって袖に張り痕が付き、その結果、袖を綺麗に仕上げることができない、という問題点があった。
【０００４】
また特許文献１に記載の従来品は、板バネ材を備える分、重くなり易かったから、これによると、袖から脱落し易く、また脱着操作に労力がかかる、という問題点があった。
また脱落を防止するため、例えば板バネ材の弾発力を大きくすると、その場合は、形材の張り痕が付き易くなり、形材を閉じる操作に大きな力が必要になる、という問題点があった。
【０００５】
而して、特許文献２に記載の従来品は、一対の棒状部の弾性及び柔軟性を利用して袖などを緊張するものである。
従って、この従来品によると、棒状部がしなって袖にフィットするから、袖に棒状部の痕を付けることがない。
【０００６】
またこの従来品は、棒状部の弾性を利用しているため、バネ材を省略できる分、軽量化でき、作業者の肉体的な負担を軽減できる。
従って、これによると、特許文献１に記載の従来品の問題点を解消できる。
【０００７】
而して、背広等の上着は、袖に裏地が縫い付けられていることが多い。これは、表地のシルエットを綺麗に見せたり、袖に腕を通すとき滑りを良くして着易くしたり、また保温効果を高めること等の理由からである。
【０００８】
この場合、袖は、腕を動き易くするため、上腕部に対応する後側のカーブは大きくデザインされ、前側は腕を自然に垂らしたときの湾曲カーブを考慮して後側のカーブより緩く穏やかにデザインされるのが通例である。
【０００９】
従って、袖は、上腕部に対応する位置において、前後のカーブの差が大きくなる、という特徴がある。そのため、この箇所の裏地は、表地を引き攣ることがないよう余裕が持たされ、素材の違う表地と、縫い目を一緒にして縫い合わされるものである。
【００１０】
而して、特許文献２に記載の従来品は、袖のこのような裏地縫製の特殊性に対しての方策が講じられていなかった。
そのため、特許文献２に記載の従来品は、棒状部が袖の中で復元すると、上腕部の裏地の弛みを表地に押し付けて無理に張るおそれがあった。
その結果、この従来品によると、上腕部の裏地の弛みが表地に皺となって表れ易かったから、袖を綺麗に仕上げることができない、という問題点があった。
【先行技術文献】
【特許文献】
【００１１】
【特許文献１】特開平９−２９４９００号公報
【特許文献２】特開平８−５２３００号公報
【発明の概要】
【発明が解決しようとする課題】
【００１２】
本発明は、このような従来品の問題点に鑑み、提案されたものである。
従って、本発明の解決しようとする技術的課題は、衣服の袖にフィットするよう弾性変形し、棒状部で痕を付けることなく緊張でき、軽量化できるだけではなく、上腕部に対応する位置の裏地が無理に張られることを防止し、この位置の裏地の弛みが袖の仕上がりに悪影響を与えることがないよう形成した衣服の袖仕上げ用補助具を提供することにある。
【課題を解決するための手段】
【００１３】
本発明は、上記の課題を解決するため、次のような技術的手段を採る。
即ち、本発明は、図１等に示されるように、略Ｖ字形の鋏状に形成され、衣服１の袖１ａに挿し込まれて左右一対の棒状部２のバネ性及び柔軟性と、この棒状部２の繋がり箇所である支点部３のバネ性を利用して衣服１の袖１ａを外側に張るのに使用する衣服の袖仕上げ用補助具であって、少なくとも一方の棒状部２の支点部３寄りの位置が内方に曲げられて凹み箇所１１に形成されていることを特徴とする（請求項１）。
【００１４】
凹み箇所１１は、棒状部２が内方に曲げられて凹み状に形成されているのであれば、その大きさ、深さ、形状等は自由である。また本発明の場合、凹み箇所１１は、棒状部２の両方に設けられているのでも良い。
【００１５】
而して、本発明は、図１等に示されるように、左右一対の棒状部２の開放端２ａの側に、衣服１の袖１ａに供給される熱流体が袖口から流出するのを防止するストッパー部１２を備えて形成されているのが好ましい（請求項２）。
【００１６】
なぜなら、これによると、ストッパー部１２によって熱流体が袖口から流出するのを防止でき、袖１ａを熱流体の熱エネルギーを無駄にすることなく効率良く膨張させて緊張仕上げできるからである。またこれによると、ストッパー部１２によって、左右一対の棒状部２の開き間隔を固定でき、袖１ａの大きさ、太さに対応し易くなり、また袖１ａへの挿し込み操作を楽にできるからである。なお、ここで、熱流体とは、熱風や蒸気を意味する。
【００１７】
また本発明は、ストッパー部１２が袋状に形成され、支点部３の側に口が向けられているのが好ましい（請求項３）。
【００１８】
ストッパー部１２は、熱流体の流出を防止できるのであれば、その形状や構造等は自由である。但し、ストッパー部１２が、このように形成される場合は、ストッパー部１２を袖１ａの内面に押し当て、ストッパー部１２と袖１ａの内面との隙間から熱流体が漏れ出ることを防止できる。
従って、これによれば、熱流体の熱エネルギーのロスをより確実に防止でき、またストッパー部１２によっても袖１ａを膨張仕上げできる、という利点がある。
【００１９】
またこの場合、本発明は、ストッパー部１２が、棒状部２に着脱自在に設けられているのが好ましい（請求項４）。
【００２０】
なぜなら、これによると、横幅の異なるストッパー部１２に交換することで、棒状部２を操作し易い間隔に、簡単且つ低コストで変更できるからである。またこの場合は、袖１ａのデザインに合わせて、対応するストッパー部１２に交換でき、熱流体の流出を確実に防止できるからである。
【発明の効果】
【００２１】
本発明は、このように形成されているから、棒状部が袖にフィットするよう弾性変形し、支点部のバネ性と相俟って袖を外側に緊張できる。
従って、これによれば、棒状部の痕を袖に付けることがない。また本発明は、棒状部を拡げたり縮めたりするためのバネを一掃できるから、これによれば、その分、軽量化でき、袖への着脱操作を楽にできる。
【００２２】
また本発明は、少なくとも一方の棒状部の支点部寄りの位置が内方に曲げられ、衣服の袖の裏地を逃すための凹み箇所に形成されている。
従って、本発明は、衣服の袖を張って仕上げる際に、上腕部に対応する位置の裏地を凹み箇所に逃すことができ、上腕部を無理に張ることがない。それ故、これによれば、裏地の弛みが表地に皺となって付くことを防止でき、袖を綺麗に仕上げることができる。
【図面の簡単な説明】
【００２３】
【図１】本発明の袖仕上げ用補助具の好適な一実施形態を示す使用状態時の側面図である。
【図２】同上補助具の斜視図である。
【図３】同上補助具の分解斜視図である。
【図４】図３のＩＶ−ＩＶ線の拡大断面図である。
【図５】図３のＶ−Ｖ線の拡大断面図である。
【図６】同上補助具の側面図である。
【図７】図６のＶＩＩ−ＶＩＩ線の拡大断面図である。
【図８】同上補助具の正面図である。
【図９】Ａは図６に示される本発明品の平面図、Ｂは底面図である。
【図１０】同上補助具の使用状態を説明するための側面図である。
【発明を実施するための形態】
【００２４】
以下、本発明の好適な一実施形態を、添付図面に従って説明する。
本発明は、図１、図２等に示されるように、略Ｖ字形の鋏状に形成され、衣服１の袖１ａに挿し込まれて左右一対の棒状部２のバネ性及び柔軟性と、この棒状部２の繋がり箇所である支点部３のバネ性を利用して衣服１の袖１ａを外側に張るのに使用する衣服の袖仕上げ用補助具である。
【００２５】
棒状部２と支点部３は、図４、図５等に示されるように、バネ性と柔軟性を有する薄い帯板４と、この帯板４の外面に重ねられているクッション材５とが、通気性の良い布等のカバー６で被覆されることにより形成されている。
【００２６】
棒状部２は、復元力だけではなく、裏地７との摩擦によっても脱落を防止できるよう、この実施形態ではカバー６の外面に滑り止め８（図２、図４等参照）が設けられている。
なお、９（図１、図２等参照）は、本発明品を吊るして保管するとき、カバー６の内面が痛まないようにするための当て布である。
【００２７】
帯板４は、例えばステンレス材やアルミ合金材で形成される。この帯板４の幅や厚みは任意であるが、本発明品を袖１ａに挿し込んで装着したとき、重みで脱落したり、袖１ａを下方に引っ張ることがないよう、また袖１ａへの挿し込み作業や、袖１ａからの抜き取り作業を楽にできるよう、帯板４は軽い板材で形成されているのが良い。
【００２８】
クッション材５としては、例えばフェルトやウレタン等がある。本発明品は、棒状部２の柔軟性とクッション材５のクッション作用により、袖１ａに棒状部２の痕を付けることがない。
【００２９】
カバー６は、細筒状に形成され、棒状部２の開放端２ａにおいて、雌雄一対の面状ファスナー１０で止め付けられている。またカバー６は、上記の通り、通気性が良い面状材で形成されている。従って、これによると、棒状部２が袖１ａに接触している箇所でも、非接触の部分と大きな差異を呈することなく、蒸気や熱風を袖１ａに供給して袖１ａを綺麗に仕上げることができる。
【００３０】
棒状部２に連なる支点部３は、輪形に湾曲形成されている。袖１ａの後側に対応する棒状部２は、袖１ａの後側のカーブに合わせて弧状に形成され、そのまま支点部３に略釣針形に連ねられている。
【００３１】
また袖１ａの前側に対応する棒状部２は、支点部３寄りの位置が、内方に曲げられて凹み箇所１１に形成されている。この凹み箇所１１は、支点部３から連ねられて内方に凹湾曲状に形成されると共に、外側に弧状に曲げられている棒状部２に連ねられている。
【００３２】
また本発明は、図１等に示されるように、左右一対の棒状部２の開放端２ａの側に、衣服１の袖１ａに供給される熱流体が袖口から流出するのを防止するストッパー部１２を備えて形成されている。このストッパー部１２で棒状部２は連結され、ストッパー部１２の横幅により棒状部２の間隔が決定されている。  なお、熱流体は、この実施形態では蒸気と熱風である。
【００３３】
またストッパー部１２は、この実施形態では袋状に形成され、支点部３の側に口が向けられている。またストッパー部１２は、図３に示されるように、この実施形態では棒状部２に、雌雄一対の面状ファスナー１３で着脱自在に設けられている。
【００３４】
次に本発明の作用を説明する。
先ず、作業者は、棒状部２の開放端２ａの側を握り、図１０に示されるように、衣服１の袖口から袖１ａの中に、本発明品を挿し入れる。
【００３５】
この場合、本発明品は、上記の通り、支点部３が輪形に湾曲形成され、棒状部２と支点部３とが略Ｕ字形を呈するよう繋がれている。従って、作業者が、棒状部２の開放端２ａの側を上下から握り閉めると、本発明品は、図１０に示されるように、支点部３が上向きに傾斜して配置される。
【００３６】
それ故、本発明品によると、作業者は腰を屈めることなく、直立した姿勢で腕を上方に回して本発明品を押し上げることにより、袖１ａに楽に挿し込むことができる。また袖１ａから取り外す場合は、本発明品を引き下ろすことで、簡単に抜き取ることができる。
従って、これによれば、袖１ａへの着脱操作が容易になり、作業者の肉体的負担を軽減できる。
【００３７】
次に、本発明品を袖１ａに挿し込んだ後、作業者が、棒状部２の開放端２ａの側から手を離すと、棒状部２が復元し袖１ａを張る。この場合、一対の棒状部２は、夫々外側に弧状に湾曲され、バネ性と柔軟性を有しているから、袖１ａのカーブに合わせてしなって袖１ａを緊張する。従って、これによれば、袖１ａのラインを崩すことがない。
【００３８】
そして、棒状部２が袖１ａの中で復元すると、袖１ａの裏地７の弛みは、凹み箇所１１に逃される。従って、これによると、裏地７を無理に張ることなく袖１ａを緊張でき、裏地７の弛みが表地に皺となって表れることがないから、袖１ａを綺麗に仕上げることができる。
【００３９】
なお、本物品は、従来品のように棒状部２をバネで弾発するものではないから、軽量化できる。従って、これによれば、重みで袖１ａから脱落したり、袖１ａや上着が型崩れすることを防止できる。
【００４０】
而して、袖１ａに、本発明品がセットされると、人体型の下方から人体型内に、熱流体としての蒸気や熱風が供給される。そして、この熱風等が人体型の肩口から袖１ａ内に流入すると、ストッパー部１２によって受け止められ、ストッパー部１２が膨らんで袖１ａの内面に押し付けられる。
その結果、袖１ａ内に熱風等が充満し、袖１ａが緊張し、皺が除去される。
【００４１】
そして、所定時間経過すると、熱流体の供給が停止する。作業者は、この状態で袖口から露出している棒状部２の開放端２ａを把持して閉じ、本発明品を袖１ａから引き抜く。これにより、袖１ａの仕上げ作業が終了する。
【００４２】
以上の処において、上記の凹み箇所１１は、棒状部２の一方側には限られず、棒状部２の両方に、例えば背中合わせに設けられているのでも良い。この場合は、裏地７の弛みが表地に及ぼす悪影響を、一層、低減できる。
【００４３】
また本発明の場合、ストッパー部１２は、袋状に形成されている場合には限られない。即ち、ストッパー部１２は、熱風等が袖口から流出するのを防止できるのであれば、その形状や縦横の長さ等は任意である。
またストッパー部１２は、上例では棒状部２に面状ファスナー１３で着脱自在に設けられているが、これには限られず、棒状部２に固定的に設けられているのでも良い。
【符号の説明】
【００４４】
１      衣服
１ａ    袖
２      棒状部
３      支点部
１１    凹み箇所
【図１】
2019094586.tif 000003
【図２】
2019094586.tif 000004
【図３】
2019094586.tif 000005
【図４】
2019094586.tif 000006
【図５】
2019094586.tif 000007
【図６】
2019094586.tif 000008
【図７】
2019094586.tif 000009
【図８】
2019094586.tif 000010
【図９】
2019094586.tif 000011
【図１０】
2019094586.tif 000012